【手続補正書】
【提出日】平成30年8月19日(2018.8.19)
【手続補正１】
【補正対象書類名】特許請求の範囲
【補正対象項目名】請求項１
【補正方法】変更
【補正の内容】
【請求項１】
左回りリングと前記リングと伝送方向が逆の右回りリングからなる２つのリング伝送路と、この２つのリング伝送路に、挿入した頂点ノード装置と、前記頂点ノード装置の左回りリング下流隣ノード装置である終点ノード装置と、前記終点ノード装置と前記頂点ノード装置間の複数の通常ノード装置とを備えた２重リング網がツリー状に配置されたツリー状リング網の各下位リングの頂点ノード装置の左回りリングのパケット流から全パケットを分離して、上位リングの左回りリングのパケット流に挿入し、各下位リングの頂点ノード装置の右回りリングのパケット流に上位リングの右回りリングのパケット流から抜き出したパケットを挿入する構成を有し、前記ツリー状リング網の最上位リング網の頂点ノード装置の左回りリングの全パケット流を右回りリングに折り返す構成を有し、左回りリングを転送される全パケット流はリング内では頂点ノード装置まで途中の通常ノード装置でリング外から接続している伝送路に前記全パケット流の一部のパケットが送出されることなしに途中の通常ノード装置を通過する構成を有するパケット転送システムであって、
前記２重リング網は、通常ノード装置に端末からリング外の伝送路経由でパケットが到着した場合に、前記パケットの送信元ＭＡＣアドレスがパケット通過用ＭＡＣアドレステーブルにある場合には、そのアドレスを消去し、前記パケットの送信元MACアドレスの下位アドレスでパケット通過用あいまい記憶アドレス記憶メモリをアドレス指定した位置からビット１が読み出される場合には、パケットドロップ用MACアドレステーブルに前記パケットの送信元MACアドレスを記憶して、前記パケットの送信元MACアドレスの下位アドレスでパケット通過用あいまい記憶アドレス記憶メモリをアドレス指定した位置からビット１が読み出されない場合には、パケットドロップ用あいまい記憶アドレス記憶メモリを前記パケットの送信元MACアドレスの下位アドレスでアドレス指定した位置にビット１を記憶して、前記パケットを左回りリングにより頂点ノード装置に向かわせ、前記パケットが左回りリングにより頂点ノード装置に向かう途中の通常ノード装置に到達した場合に、前記パケットの送信元ＭＡＣアドレスがパケットドロップ用ＭＡＣアドレステーブルにある場合には、そのアドレスを消去し、前記パケットの送信元MACアドレスの下位アドレスでパケットドロップ用あいまい記憶アドレス記憶メモリをアドレス指定した位置からビット１が読み出される場合には、パケット通過用MACアドレステーブルに前記パケットの送信元MACアドレスを記憶して、一方、前記パケットの送信元MACアドレスの下位アドレスでパケットドロップ用あいまい記憶アドレス記憶メモリをアドレス指定した位置からビット１が読み出されない場合には、パケット通過用あいまい記憶アドレス記憶メモリを前記パケットの送信元MACアドレスの下位アドレスでアドレス指定した位置にビット１を記憶して、前記パケットを左回りリングにより頂点ノード装置に向かわせる手段と、
右回りリングを転送されるブロードキャストパケット以外のパケットが通常ノード装置に到着した場合に、前記パケットの宛先MACアドレスがパケットドロップ用MACアドレステーブルにある場合には、前記パケットをリング外から接続している伝送路でリング外に送出し、一方、前記パケットの宛先MACアドレスがパケットドロップ用MACアドレステーブルに無い場合で、パケット通過用あいまい記憶アドレス記憶メモリを前記パケットの宛先MACアドレスの下位アドレスでアドレス指定した位置にビット１が記憶されている場合には、前記パケットを右回りリングにより下流通常ノード装置に送出し、一方、前記パケットの宛先MACアドレスがパケット通過用MACアドレステーブルにある場合には、前記パケットを右回りリングにより下流通常ノード装置に送出し、一方、前記パケットの宛先MACアドレスがパケット通過用MACアドレステーブルに無い場合で、パケットドロップ用あいまい記憶アドレス記憶メモリを前記パケットの宛先MACアドレスの下位アドレスでアドレス指定した位置にビット１が記憶されている場合には、前記パケットをリング外から接続している伝送路でリング外に送出する手段とを備えたことを特徴とするパケット転送システム。
【手続補正２】
【補正対象書類名】特許請求の範囲
【補正対象項目名】請求項２
【補正方法】変更
【補正の内容】
【請求項２】
前記右回りリングからの前記ブローキャストパケットが前記通常ノード装置に到着した場合に、前記通常ノード装置が前記ブロードキャストパケットをリング外の伝送路から受信したノード装置でない前記ブロードキャストパケットの送信元MACアドレスが前記パケットドロップ用MACアドレステーブルにないノード装置である場合には、前記ブロードキャストパケットをコピーし、一方のパケットをリング外から接続している伝送路でリング外に送出し、他方のパケットは、右回りリングにより下流のノード装置に送出し、一方、前記通常ノード装置が前記ブロードキャストパケットをリング外の伝送路から受信したノード装置である前記ブロードキャストパケットの送信元MACアドレスが前記パケットドロップ用MACアドレステーブルにあるノード装置である場合には、前記ブロードキャストパケットをコピーせずに、下流のノード装置に送出することを特徴とする請求項１に記載のパケット転送システム。
【手続補正３】
【補正対象書類名】特許請求の範囲
【補正対象項目名】請求項４
【補正方法】変更
【補正の内容】
【請求項４】
請求項１に記載のパケット転送システムに適用され、前記パケット通過用あいまい記憶アドレス記憶メモリおよび前記パケットドロップ用あいまい記憶アドレス記憶メモリは記憶アドレスのタイマー機能を持たないことを特徴とするパケット転送システムに使用されるパケット通過用あいまい記憶アドレス記憶メモリおよびパケットドロップ用あいまい記憶アドレス記憶メモリ。
【手続補正４】
【補正対象書類名】特許請求の範囲
【補正対象項目名】請求項６
【補正方法】変更
【補正の内容】
【請求項６】
請求項１に記載のパケット転送システムに適用され、障害リング伝送路の両端ノード装置でループバックした場合に、ループバックビットのセット状態が解除されているパケットがループバックした場合には、ループバックビットをセットし、ループバックビットがセットされているパケットがループバックした場合は、ループバックビットのセット状態を解除し、ループバックビットがセットされているパケットは、終点ノード装置および頂点ノード装置を含む全てのノード装置をスルーで通過させることを特徴とする２重リング伝送路の障害復旧法。
【手続補正５】
【補正対象書類名】特許請求の範囲
【補正対象項目名】請求項７
【補正方法】変更
【補正の内容】
【請求項７】
請求項１に記載のパケット転送システムに適用され、前記終点ノード装置はループバックビットがセットされているパケットのみを通過させ、それ以外のパケットは廃棄することを特徴とするパケット転送法。
【手続補正６】
【補正対象書類名】特許請求の範囲
【補正対象項目名】請求項８
【補正方法】変更
【補正の内容】
【請求項８】
左回りリングと前記リングと伝送方向が逆の右回りリングからなる２つのリング伝送路と、この２つのリング伝送路に、挿入した頂点ノード装置と、前記頂点ノード装置の左回りリング下流隣ノード装置である終点ノード装置と、前記終点ノード装置と前記頂点ノード装置間の複数の通常ノード装置とを備えた２重リング網がツリー状に配置されたツリー状リング網の各下位リングの頂点ノード装置の左回りリングのパケット流から全パケットを分離して、上位リングの左回りリングのパケット流に挿入し、各下位リングの頂点ノード装置の右回りリングのパケット流に上位リングの右回りリングのパケット流から抜き出したパケットを挿入する構成を有し、前記ツリー状リング網の最上位リング網の頂点ノード装置の左回りリングの全パケット流を右回りリングに折り返す構成を有し、左回りリングを転送される全パケット流はリング内では頂点ノード装置まで途中の通常ノード装置でリング外から接続している伝送路に前記全パケット流の一部のパケットが送出されることなしに途中の通常ノード装置を通過する構成を有するパケット転送システムに適用され、
前記２重リング網の前記通常ノード装置に端末からリング外の伝送路経由でパケットが到着した場合に、前記パケットの送信元ＭＡＣアドレスがパケット通過用ＭＡＣアドレステーブルにある場合には、そのアドレスを消去し、前記パケットの送信元MACアドレスの下位アドレスでパケット通過用あいまい記憶アドレス記憶メモリをアドレス指定した位置からビット１が読み出される場合には、パケットドロップ用MACアドレステーブルに前記パケットの送信元MACアドレスを記憶し、一方、前記パケットの送信元MACアドレスの下位アドレスでパケット通過用あいまい記憶アドレス記憶メモリをアドレス指定した位置からビット１が読み出されない場合には、パケットドロップ用あいまい記憶アドレス記憶メモリを前記パケットの送信元MACアドレスの下位アドレスでアドレス指定した位置にビット１を記憶して、前記パケットを左回りリングにより頂点ノード装置に向かわせ、前記パケットが左回りリングにより頂点ノード装置に向かう途中の通常ノード装置に到達した場合に、前記パケットの送信元ＭＡＣアドレスがパケットドロップ用ＭＡＣアドレステーブルにある場合には、そのアドレスを消去し、前記パケットの送信元MACアドレスの下位アドレスでパケットドロップ用あいまい記憶アドレス記憶メモリをアドレス指定した位置からビット１が読み出される場合には、パケット通過用MACアドレステーブルに前記パケットの送信元MACアドレスを記憶し、一方、前記パケットの送信元MACアドレスの下位アドレスでパケットドロップ用あいまい記憶アドレス記憶メモリをアドレス指定した位置からビット１が読み出されない場合には、パケット通過用あいまい記憶アドレス記憶メモリを前記パケットの送信元MACアドレスの下位アドレスでアドレス指定した位置にビット１を記憶して、前記パケットを左回りリングにより頂点ノード装置に向かわせ、
右回りリングを転送されるブロードキャストパケット以外のパケットが通常ノード装置に到着した場合に、前記パケットの宛先MACアドレスがパケットドロップ用MACアドレステーブルにある場合には、前記パケットをリング外から接続している伝送路でリング外に送出し、一方、前記パケットの宛先MACアドレスがパケットドロップ用MACアドレステーブルに無い場合で、パケット通過用あいまい記憶アドレス記憶メモリを前記パケットの宛先MACアドレスの下位アドレスでアドレス指定した位置にビット１が記憶されている場合には、前記パケットを右回りリングにより下流ノード装置に送出し、一方、前記パケットの宛先MACアドレスがパケット通過用MACアドレステーブルにある場合には、前記パケットを右回りリングにより下流ノード装置に送出し、一方、前記パケットの宛先MACアドレスがパケット通過用MACアドレステーブルに無い場合で、パケットドロップ用あいまい記憶アドレス記憶メモリを前記パケットの宛先MACアドレスの下位アドレスでアドレス指定した位置にビット１が記憶されている場合には、前記パケットをリング外から接続している伝送路でリング外に送出することを特徴とするパケット転送法。
【手続補正７】
【補正対象書類名】特許請求の範囲
【補正対象項目名】請求項９
【補正方法】変更
【補正の内容】
【請求項９】
左回りリングと前記リングと伝送方向が逆の右回りリングからなる２つのリング伝送路と、この２つのリング伝送路に、挿入した頂点ノード装置と、前記頂点ノード装置の左回りリング下流隣ノード装置である終点ノード装置と、前記終点ノード装置と前記頂点ノード装置間の複数の通常ノード装置とを備えた２重リング網がツリー状に配置されたツリー状リング網の各下位リングの頂点ノード装置の左回りリングのパケット流から全パケットを分離して、上位リングの左回りリングのパケット流に挿入し、各下位リングの頂点ノード装置の右回りリングのパケット流に上位リングの右回りリングのパケット流から抜き出したパケットを挿入する構成を有し、前記ツリー状リング網の最上位リング網の頂点ノード装置の左回りリングの全パケット流を右回りリングに折り返す構成を有し、左回りリングを転送される全パケット流はリング内では頂点ノード装置まで途中の通常ノード装置でリング外から接続している伝送路に前記全パケット流の一部のパケットが送出されることなしに途中の通常ノード装置を通過する構成を有するパケット転送システムに適用され、
端末からリング外の伝送路経由でパケットが到着した場合に、前記パケットの送信元ＭＡＣアドレスがパケット通過用ＭＡＣアドレステーブルにある場合には、そのアドレスを消去し、前記パケットの送信元MACアドレスの下位アドレスでパケット通過用あいまい記憶アドレス記憶メモリをアドレス指定した位置からビット１が読み出される場合には、パケットドロップ用MACアドレステーブルに前記パケットの送信元MACアドレスを記憶して、前記パケットの送信元MACアドレスの下位アドレスでパケット通過用あいまい記憶アドレス記憶メモリをアドレス指定した位置からビット１が読み出されない場合には、パケットドロップ用あいまい記憶アドレス記憶メモリを前記パケットの送信元MACアドレスの下位アドレスでアドレス指定した位置にビット１を記憶して、前記パケットを左回りリングにより前方ノード装置に向かわせる手段と、左回りリングよりパケットが到達した場合に、前記パケットの送信元ＭＡＣアドレスがパケットドロップ用ＭＡＣアドレステーブルにある場合には、そのアドレスを消去し、前記パケットの送信元MACアドレスの下位アドレスでパケットドロップ用あいまい記憶アドレス記憶メモリをアドレス指定した位置からビット１が読み出される場合には、パケット通過用MACアドレステーブルに前記パケットの送信元MACアドレスを記憶して、一方、前記パケットの送信元MACアドレスの下位アドレスでパケットドロップ用あいまい記憶アドレス記憶メモリをアドレス指定した位置からビット１が読み出されない場合には、パケット通過用あいまい記憶アドレス記憶メモリを前記パケットの送信元MACアドレスの下位アドレスでアドレス指定した位置にビット１を記憶して、前記パケットを左回りリングにより前方ノード装置に向かわせる手段と、
右回りリングよりブロードキャストパケット以外のパケットが到着した場合に、前記パケットの宛先MACアドレスがパケットドロップ用MACアドレステーブルにある場合には、前記パケットをリング外から接続している伝送路でリング外に送出し、一方、前記パケットの宛先MACアドレスがパケットドロップ用MACアドレステーブルに無い場合で、パケット通過用あいまい記憶アドレス記憶メモリを前記パケットの宛先MACアドレスの下位アドレスでアドレス指定した位置にビット１が記憶されている場合には、前記パケットを右回りリングにより下流ノード装置に送出し、一方、前記パケットの宛先MACアドレスがパケット通過用MACアドレステーブルにある場合には、前記パケットを右回りリングにより下流ノード装置に送出し、一方、前記パケットの宛先MACアドレスがパケット通過用MACアドレステーブルに無い場合で、パケットドロップ用あいまい記憶アドレス記憶メモリを前記パケットの宛先MACアドレスの下位アドレスでアドレス指定した位置にビット１が記憶されている場合には、前記パケットをリング外から接続している伝送路でリング外に送出する手段とを備えたことを特徴とする２重リング網の通常ノード装置。
【手続補正８】
【補正対象書類名】明細書
【補正対象項目名】０００６
【補正方法】変更
【補正の内容】
【０００６】
従来のアドレス記憶法としての従来例特開２０００−１５１６１７はネスティングでMACアドレスを記憶しているため、記憶アドレス先をたどるのに時間がかかる問題がある。また、本質的に、MACアドレス４８ビット全体を記憶しているので記憶エリアが大きくなる問題がある。
【手続補正９】
【補正対象書類名】明細書
【補正対象項目名】００１１
【補正方法】変更
【補正の内容】
【００１１】
上記あいまい記憶アドレスメモリのアドレス記憶法は、アドレスの誤一致記憶が発生する。その誤一致記憶を解決するため、このアドレス記憶法を左回りリングとそれと逆方向の右回りリングからなる２重リング網の頂点ノード装置の左回りリングのパケット流が右回りリングに折り返される構成のパケット転送システムのリングの通常ノード装置に使われるパケット通過用のあいまい記憶アドレスメモリとパケットドロップ用のあいまい記憶アドレスメモリに適用し、右回りリングを転送されるパケットの宛先MACアドレスの下位アドレスでノード装置のパケット通過用のあいまい記憶アドレスメモリをアドレス指定した場合に、ビット１が読み出される誤一致で、誤ってパケットがその通常ノード装置を通過することを避けるため、右回りリングから到来するそのパケットがその通常ノード装置でドロップするように、その通常ノード装置にリング外の伝送路からパケットが到着した場合に、そのパケットの送信元MACアドレスの下位アドレスでパケット通過用のあいまい記憶アドレスメモリをアドレス指定した位置からビット１が読み出される場合には、そのパケットの送信元MACアドレスをパケットドロップ用MACアドレステーブルに記憶し、一方、右回りリングを転送されるパケットの宛先MACアドレスの下位アドレスでパケットドロップ用のあいまい記憶アドレスメモリをアドレス指定した位置から、ビット１が読み出される誤一致で、誤って、パケットがリング外に送出されることを避けるため、左回りリングを転送されるパケットの送信元MACアドレスの下位アドレスでパケットドロップ用のあいまい記憶アドレスメモリをアドレス指定した位置からビット１が読み出される場合には、パケット通過用MACアドレステーブルにそのパケットの送信元MACアドレスを記憶する。上記により、右回りリングを転送されるパケットは、最初に、小容量の上記２つのMACアドレステーブルを見ることで、アドレスの誤一致を避けることができる。
【手続補正１０】
【補正対象書類名】明細書
【補正対象項目名】００１２
【補正方法】変更
【補正の内容】
【００１２】
このパケット転送システムで特徴的なのは、左回りリングではリング外の伝送路からパケットを受信するだけで、リング外にパケットを送出しないことと、通常ノード装置のメモリへの書き込みは左回りリングを転送されるパケットによってのみ行われることである。これにより、このパケット転送システムではパケットの送信元MACアドレスの下位アドレスおよび宛先MACアドレスの下位アドレスのみを主に通常ノード装置が扱うことでパケットを転送できる利点がある。
【手続補正１１】
【補正対象書類名】明細書
【補正対象項目名】００１４
【補正方法】変更
【補正の内容】
【００１４】
本発明（１）によれば、左回りリングと前記リングと伝送方向が逆の右回りリングからなる２つのリング伝送路と、この２つのリング伝送路に、挿入した頂点ノード装置と、前記頂点ノード装置の左回りリング下流隣ノード装置である終点ノード装置と、前記終点ノード装置と前記頂点ノード装置間の複数の通常ノード装置とを備えた２重リング網がツリー状に配置されたツリー状リング網の各下位リングの頂点ノード装置の左回りリングのパケット流から全パケットを分離して、上位リングの左回りリングのパケット流に挿入し、各下位リングの頂点ノード装置の右回りリングのパケット流に上位リングの右回りリングのパケット流から抜き出したパケットを挿入する構成を有し、前記ツリー状リング網の最上位リング網の頂点ノード装置の左回りリングの全パケット流を右回りリングに折り返す構成を有し、左回りリングを転送される全パケット流はリング内では頂点ノード装置まで途中の通常ノード装置でリング外から接続している伝送路に前記全パケット流の一部のパケットが送出されることなしに途中の通常ノード装置を通過する構成を有するパケット転送システムであって、
前記２重リング網は、通常ノード装置に端末からリング外の伝送路経由でパケットが到着した場合に、前記パケットの送信元ＭＡＣアドレスがパケット通過用ＭＡＣアドレステーブルにある場合には、そのアドレスを消去し、前記パケットの送信元MACアドレスの下位アドレスでパケット通過用あいまい記憶アドレス記憶メモリをアドレス指定した位置からビット１が読み出される場合には、パケットドロップ用MACアドレステーブルに前記パケットの送信元MACアドレスを記憶して、前記パケットの送信元MACアドレスの下位アドレスでパケット通過用あいまい記憶アドレス記憶メモリをアドレス指定した位置からビット１が読み出されない場合には、パケットドロップ用あいまい記憶アドレス記憶メモリを前記パケットの送信元MACアドレスの下位アドレスでアドレス指定した位置にビット１を記憶して、前記パケットを左回りリングにより頂点ノード装置に向かわせ、前記パケットが左回りリングにより頂点ノード装置に向かう途中の通常ノード装置に到達した場合に、前記パケットの送信元ＭＡＣアドレスがパケットドロップ用ＭＡＣアドレステーブルにある場合には、そのアドレスを消去し、前記パケットの送信元MACアドレスの下位アドレスでパケットドロップ用あいまい記憶アドレス記憶メモリをアドレス指定した位置からビット１が読み出される場合には、パケット通過用MACアドレステーブルに前記パケットの送信元MACアドレスを記憶して、一方、前記パケットの送信元MACアドレスの下位アドレスでパケットドロップ用あいまい記憶アドレス記憶メモリをアドレス指定した位置からビット１が読み出されない場合には、パケット通過用あいまい記憶アドレス記憶メモリを前記パケットの送信元MACアドレスの下位アドレスでアドレス指定した位置にビット１を記憶して、前記パケットを左回りリングにより頂点ノード装置に向かわせる手段と、
右回りリングを転送されるブロードキャストパケット以外のパケットが通常ノード装置に到着した場合に、前記パケットの宛先MACアドレスがパケットドロップ用MACアドレステーブルにある場合には、前記パケットをリング外から接続している伝送路でリング外に送出し、一方、前記パケットの宛先MACアドレスがパケットドロップ用MACアドレステーブルに無い場合で、パケット通過用あいまい記憶アドレス記憶メモリを前記パケットの宛先MACアドレスの下位アドレスでアドレス指定した位置にビット１が記憶されている場合には、前記パケットを右回りリングにより下流ノード装置に送出し、一方、前記パケットの宛先MACアドレスがパケット通過用MACアドレステーブルにある場合には、前記パケットを右回りリングにより下流ノード装置に送出し、一方、前記パケットの宛先MACアドレスがパケット通過用MACアドレステーブルに無い場合で、パケットドロップ用あいまい記憶アドレス記憶メモリを前記パケットの宛先MACアドレスの下位アドレスでアドレス指定した位置にビット１が記憶されている場合には、前記パケットをリング外から接続している伝送路でリング外に送出する手段とを備えたことを特徴とするパケット転送システムを提供する。
【手続補正１２】
【補正対象書類名】明細書
【補正対象項目名】００１５
【補正方法】変更
【補正の内容】
【００１５】
また、本発明（２）によれば、本発明（１）において、前記右回りリングからの前記ブローキャストパケットが前記通常ノード装置に到着した場合に、前記通常ノード装置が前記ブロードキャストパケットをリング外の伝送路から受信した通常ノード装置でない前記ブロードキャストパケットの送信元MACアドレスが前記パケットドロップ用MACアドレステーブルにない通常ノード装置である場合には、前記ブロードキャストパケットをコピーし、片一方のパケットをリング外から接続している伝送路でリング外に送出し、もう、片方のパケットは、右回りリングにより下流のノード装置に送出し、一方、前記通常ノード装置が前記ブロードキャストパケットをリング外の伝送路から受信した通常ノード装置である前記ブロードキャストパケットの送信元MACアドレスが前記パケットドロップ用MACアドレステーブルにある通常ノード装置である場合には、前記ブロードキャストパケットをコピーせずに、下流のノード装置に送出することを特徴とする
パケット転送システムを提供する。
【手続補正１３】
【補正対象書類名】明細書
【補正対象項目名】００１７
【補正方法】変更
【補正の内容】
【００１７】
また、本発明（４）によれば、本発明（１）に記載のパケット転送システムに適用され、前記パケット通過用あいまい記憶アドレス記憶メモリおよび前記パケットドロップ用あいまい記憶アドレス記憶メモリは記憶アドレスのタイマー機能を持たないことを特徴とするパケット転送システムに使用されるパケット通過用あいまい記憶アドレス記憶メモリおよびパケットドロップ用あいまい記憶アドレス記憶メモリを提供する。
【手続補正１４】
【補正対象書類名】明細書
【補正対象項目名】００１９
【補正方法】変更
【補正の内容】
【００１９】
また、本発明（６）によれば、本発明（１）に記載のパケット転送システムに適用され、障害リング伝送路の両端ノード装置でループバックした場合に、ループバックビットのセット状態が解除されていないパケットがループバックした場合には、ループバックビットをセットし、ループバックビットがセットされているパケットがループバックした場合は、ループバックビットのセット状態を解除し、ループバックビットがセットされているパケットは、終点ノード装置および頂点ノード装置を含む全てのノード装置をスルーで通過させることを特徴とする２重リング伝送路の障害復旧法を提供する。
【手続補正１５】
【補正対象書類名】明細書
【補正対象項目名】００２０
【補正方法】変更
【補正の内容】
【００２０】
また、本発明（７）によれば、本発明（１）に記載のパケット転送システムに適用され、前記終点ノード装置はループバックビットがセットされているパケットのみを通過させ、それ以外のパケットは廃棄することを特徴とするパケット転送法を提供する。
【手続補正１６】
【補正対象書類名】明細書
【補正対象項目名】００２１
【補正方法】変更
【補正の内容】
【００２１】
また、本発明（８）によれば、左回りリングと前記リングと伝送方向が逆の右回りリングからなる２つのリング伝送路と、この２つのリング伝送路に、挿入した頂点ノード装置と、前記頂点ノード装置の左回りリング下流隣ノード装置である終点ノード装置と、前記終点ノード装置と前記頂点ノード装置間の複数の通常ノード装置とを備えた２重リング網がツリー状に配置されたツリー状リング網の各下位リングの頂点ノード装置の左回りリングのパケット流から全パケットを分離して、上位リングの左回りリングのパケット流に挿入し、各下位リングの頂点ノード装置の右回りリングのパケット流に上位リングの右回りリングのパケット流から抜き出したパケットを挿入する構成を有し、前記ツリー状リング網の最上位リング網の頂点ノード装置の左回りリングの全パケット流を右回りリングに折り返す構成を有し、左回りリングを転送される全パケット流はリング内では頂点ノード装置まで途中の通常ノード装置でリング外から接続している伝送路に前記全パケット流の一部のパケットが送出されることなしに途中の通常ノード装置を通過する構成を有するパケット転送システムに適用され、
前記２重リング網の前記通常ノード装置に端末からリング外の伝送路経由でパケットが到着した場合に、前記パケットの送信元ＭＡＣアドレスがパケット通過用ＭＡＣアドレステーブルにある場合には、そのアドレスを消去し、前記パケットの送信元MACアドレスの下位アドレスでパケット通過用あいまい記憶アドレス記憶メモリをアドレス指定した位置からビット１が読み出される場合には、パケットドロップ用MACアドレステーブルに前記パケットの送信元MACアドレスを記憶し、一方、前記パケットの送信元MACアドレスの下位アドレスでパケット通過用あいまい記憶アドレス記憶メモリをアドレス指定した位置からビット１が読み出されない場合には、パケットドロップ用あいまい記憶アドレス記憶メモリを前記パケットの送信元MACアドレスの下位アドレスでアドレス指定した位置にビット１を記憶して、前記パケットを左回りリングにより頂点ノード装置に向かわせ、前記パケットが左回りリングにより頂点ノード装置に向かう途中の通常ノード装置に到達した場合に、前記パケットの送信元ＭＡＣアドレスがパケットドロップ用ＭＡＣアドレステーブルにある場合には、そのアドレスを消去し、前記パケットの送信元MACアドレスの下位アドレスでパケットドロップ用あいまい記憶アドレス記憶メモリをアドレス指定した位置からビット１が読み出される場合には、パケット通過用MACアドレステーブルに前記パケットの送信元MACアドレスを記憶し、一方、前記パケットの送信元MACアドレスの下位アドレスでパケットドロップ用あいまい記憶アドレス記憶メモリをアドレス指定した位置からビット１が読み出されない場合には、パケット通過用あいまい記憶アドレス記憶メモリを前記パケットの送信元MACアドレスの下位アドレスでアドレス指定した位置にビット１を記憶して、前記パケットを左回りリングにより頂点ノード装置に向かわせ、
右回りリングを転送されるブロードキャストパケット以外のパケットが通常ノード装置に到着した場合に、前記パケットの宛先MACアドレスがパケットドロップ用MACアドレステーブルにある場合には、前記パケットをリング外から接続している伝送路でリング外に送出し、一方、前記パケットの宛先MACアドレスがパケットドロップ用MACアドレステーブルに無い場合で、パケット通過用あいまい記憶アドレス記憶メモリを前記パケットの宛先MACアドレスの下位アドレスでアドレス指定した位置にビット１が記憶されている場合には、前記パケットを右回りリングにより下流ノード装置に送出し、一方、前記パケットの宛先MACアドレスがパケット通過用MACアドレステーブルにある場合には、前記パケットを右回りリングにより下流ノード装置に送出し、一方、前記パケットの宛先MACアドレスがパケット通過用MACアドレステーブルに無い場合で、パケットドロップ用あいまい記憶アドレス記憶メモリを前記パケットの宛先MACアドレスの下位アドレスでアドレス指定した位置にビット１が記憶されている場合には、前記パケットをリング外から接続している伝送路でリング外に送出することを特徴とするパケット転送法を提供する。
【手続補正１７】
【補正対象書類名】明細書
【補正対象項目名】００２２
【補正方法】変更
【補正の内容】
【００２２】
また、本発明（９）によれば、左回りリングと前記リングと伝送方向が逆の右回りリングからなる２つのリング伝送路と、この２つのリング伝送路に、挿入した頂点ノード装置と、前記頂点ノード装置の左回りリング下流隣ノード装置である終点ノード装置と、前記終点ノード装置と前記頂点ノード装置間の複数の通常ノード装置とを備えた２重リング網がツリー状に配置されたツリー状リング網の各下位リングの頂点ノード装置の左回りリングのパケット流から全パケットを分離して、上位リングの左回りリングのパケット流に挿入し、各下位リングの頂点ノード装置の右回りリングのパケット流に上位リングの右回りリングのパケット流から抜き出したパケットを挿入する構成を有し、前記ツリー状リング網の最上位リング網の頂点ノード装置の左回りリングの全パケット流を右回りリングに折り返す構成を有し、左回りリングを転送される全パケット流はリング内では頂点ノード装置まで途中の通常ノード装置でリング外から接続している伝送路に前記全パケット流の一部のパケットが送出されることなしに途中の通常ノード装置を通過する構成を有するパケット転送システムに適用され、
端末からリング外の伝送路経由でパケットが到着した場合に、前記パケットの送信元ＭＡＣアドレスがパケット通過用ＭＡＣアドレステーブルにある場合には、そのアドレスを消去し、前記パケットの送信元MACアドレスの下位アドレスでパケット通過用あいまい記憶アドレス記憶メモリをアドレス指定した位置からビット１が読み出される場合には、パケットドロップ用MACアドレステーブルに前記パケットの送信元MACアドレスを記憶して、前記パケットの送信元MACアドレスの下位アドレスでパケット通過用あいまい記憶アドレス記憶メモリをアドレス指定した位置からビット１が読み出されない場合には、パケットドロップ用あいまい記憶アドレス記憶メモリを前記パケットの送信元MACアドレスの下位アドレスでアドレス指定した位置にビット１を記憶して、前記パケットを左回りリングにより前方ノード装置に向かわせる手段と、左回りリングよりパケットが到達した場合に、前記パケットの送信元ＭＡＣアドレスがパケットドロップ用ＭＡＣアドレステーブルにある場合には、そのアドレスを消去し、前記パケットの送信元MACアドレスの下位アドレスでパケットドロップ用あいまい記憶アドレス記憶メモリをアドレス指定した位置からビット１が読み出される場合には、パケット通過用MACアドレステーブルに前記パケットの送信元MACアドレスを記憶して、一方、前記パケットの送信元MACアドレスの下位アドレスでパケットドロップ用あいまい記憶アドレス記憶メモリをアドレス指定した位置からビット１が読み出されない場合には、パケット通過用あいまい記憶アドレス記憶メモリを前記パケットの送信元MACアドレスの下位アドレスでアドレス指定した位置にビット１を記憶して、前記パケットを左回りリングにより前方のノード装置に向かわせる手段と、
右回りリングよりブロードキャストパケット以外のパケットが到着した場合に、前記パケットの宛先MACアドレスがパケットドロップ用MACアドレステーブルにある場合には、前記パケットをリング外から接続している伝送路でリング外に送出し、一方、前記パケットの宛先MACアドレスがパケットドロップ用MACアドレステーブルに無い場合で、パケット通過用あいまい記憶アドレス記憶メモリを前記パケットの宛先MACアドレスの下位アドレスでアドレス指定した位置にビット１が記憶されている場合には、前記パケットを右回りリングにより下流のノード装置に送出し、一方、前記パケットの宛先MACアドレスがパケット通過用MACアドレステーブルにある場合には、前記パケットを右回りリングにより下流のノード装置に送出し、一方、前記パケットの宛先MACアドレスがパケット通過用MACアドレステーブルに無い場合で、パケットドロップ用あいまい記憶アドレス記憶メモリを前記パケットの宛先MACアドレスの下位アドレスでアドレス指定した位置にビット１が記憶されている場合には、前記パケットをリング外から接続している伝送路でリング外に送出する手段とを備えたことを特徴とする２重リング網の通常ノード装置を提供する。
【手続補正１８】
【補正対象書類名】明細書
【補正対象項目名】００２３
【補正方法】変更
【補正の内容】
【００２３】
以上、説明したように、本発明によれば、高速で記憶ビット長が短く、記憶アドレス数の多いアドレス記憶法を得、その欠点を左回りリングが頂点ノード装置で右回りリングに折り返すパケット転送システムを用いることで解決し、このパケット転送システムでは主にMACアドレスの下位アドレスのみでパケットを転送できることおよび使用するアドレス記憶メモリがタイマー機能を持たない利点があるため、コストを下げられる効果がある。
【手続補正１９】
【補正対象書類名】明細書
【補正対象項目名】００２４
【補正方法】変更
【補正の内容】
【００２４】
【図１】本発明の第１実施例のパケット通過用あいまい記憶アドレス記憶メモリとパケットドロップ用あいまい記憶アドレス記憶メモリとパケットドロップ用MACアドレステーブルとパケット通過用MACアドレステーブルを用いたパケットを転送するツリー状リング網の動作を説明するための図
【手続補正２０】
【補正対象書類名】明細書
【補正対象項目名】００２５
【補正方法】変更
【補正の内容】
【００２５】
本発明の第１実施例を図１により説明する。本実施例は、パケット通過用あいまい記憶アドレス記憶メモリとパケットドロップ用あいまい記憶アドレス記憶メモリとパケットドロップ用MACアドレステーブルとパケット通過用MACアドレステーブルを用いたパケットを転送するツリー状リング網の動作を示す。ツリー状リング網を２階構造にし、上位リング網をビルの最上位階から最下位階にまたがるリング網とし、下位リング網をビルの各階のリング網にすれば、ビルのリング網として利用できる。
【手続補正２１】
【補正対象書類名】明細書
【補正対象項目名】００２６
【補正方法】変更
【補正の内容】
【００２６】
図１において、１は左回りリング（アウターリング）、２は右回りリング（インナーリング）、３、７は頂点ノード装置、４、８、１２は終点ノード装置、５、６，９，１０，１３，１４は通常ノード装置、１１は最上位リングの頂点ノード装置、１５はパケットドロップ用あいまい記憶アドレス記憶メモリ、１６はパケット通過用MACアドレステーブル、１７はパケットドロップ用MACアドレステーブル、１８はパケット通過用あいまい記憶アドレス記憶メモリ、１９、２０、２１，２２はL2スイッチ、２３，２５，２６，２７は端末、２４はサーバ、２８は左回りリングから右回りリングへの折り返しパスである。また、（１）〜（２２）はパケットである。
【手続補正２２】
【補正対象書類名】明細書
【補正対象項目名】００２７
【補正方法】変更
【補正の内容】
【００２７】
以下に、図１の動作を説明する。最初に、L2スイッチ１９が端末２３からのパケット（１）Md1d2a1a2（MはMACパケットを示し、d1d2は図１には記してない端末のMACアドレスである宛先上位MACアドレスd1と下位MACアドレスd2を示し、a1a2は端末２３のMACアドレスである送信元上位MACアドレスa1と下位MACアドレスa2である）を、通常ノード装置５に送出する例を示す。通常ノード装置５はそのパケットの送信元MACアドレスの下位アドレスa2でパケットドロップ用あいまい記憶アドレス記憶メモリ１５をアドレス指定した位置にビット１を記憶する。図１では通常ノード装置５のパケットドロップ用あいまい記憶アドレス記憶メモリ１５にそのパケットの送信元MACアドレスの下位アドレスa2が記憶されていることを示している。図示したa2は、メモリをa2でアドレス指定した位置にビット１を記憶した記憶例で、図示した例は便宜上そのように記したものである。そのパケットは最上位リングの頂点ノード装置に向かう。途中の通常ノード装置６のパケット通過用あいまい記憶アドレス記憶メモリ１８と通常ノード装置１３のパケットドロップ用あいまい記憶アドレス記憶メモリ１５と通常ノード装置１４のパケット通過用あいまい記憶アドレス記憶メモリ１８をそのパケットの送信元MACアドレスの下位アドレスa2でアドレス指定した位置にビット１を記憶する。図１では、通常ノード装置６のパケット通過用あいまい記憶アドレス記憶メモリ１８と通常ノード装置１３のパケットドロップ用あいまい記憶アドレス記憶メモリ１５と通常ノード装置１４のパケット通過用あいまい記憶アドレス記憶メモリ１８にそのパケットの送信元MACアドレスの下位アドレスa2が記憶されていることを示している。
【手続補正２３】
【補正対象書類名】明細書
【補正対象項目名】００２８
【補正方法】変更
【補正の内容】
【００２８】
次に、L2スイッチ２０が端末２６からのパケット（２）MBb3b2(I2)（MはMACパケットを示し、Bはブロードキャストアドレスを示し、b3b2は端末２６のMACアドレスである送信元上位MACアドレスb3と下位MACアドレスb2を示し、I2は宛先サーバ２４のIPアドレスである）を、通常ノード装置６に送出する例を示す。通常ノード装置６はそのブロードキャストパケットの送信元MACアドレスの下位アドレスb2でパケットドロップ用あいまい記憶アドレス記憶メモリ１５をアドレス指定した位置にビット１を記憶する。図１では通常ノード装置６のパケットドロップ用あいまい記憶アドレス記憶メモリ１５にそのパケットの送信元MACアドレスの下位アドレスb2が記憶されていることを示している。さらに、通常ノード装置６は、そのパケットがブロードキャストパケットであることを識別して、そのブロードキャストパケットの送信元MACアドレスb3b2をパケットドロップ用MACアドレステーブル１７に記憶する。そのパケットは左回りリング１上を（３）MBb3b2(I2)で図示されるように転送されて頂点ノード装置３に到着する。頂点ノード装置３は、そのブロードキャストパケットを左回りリング１から抜き出して、頂点ノード装置３と通常ノード装置１３を接続する伝送路に送出して、通常ノード装置１３に（４）MBb3b2(I2)で図示されるように転送する。
【手続補正２４】
【補正対象書類名】明細書
【補正対象項目名】００２９
【補正方法】変更
【補正の内容】
【００２９】
上位リング網の通常ノード装置１３は、到着した前記ブロードキャストパケットの送信元MACアドレスの下位アドレスb2でパケットドロップ用あいまい記憶アドレス記憶メモリ１５をアドレス指定した位置にビット１を記憶する。図１では通常ノード装置１３のパケットドロップ用あいまい記憶アドレス記憶メモリ１５にそのブロードキャストパケットの送信元MACアドレスの下位アドレスb2が記憶されていることを示している。前記ブロードキャストパケットは左回りリング１により転送されて通常ノード装置１４に到着する。通常ノード装置１４は、到着した前記ブロードキャストパケットの送信元MACアドレスの下位アドレスb2でパケット通過用あいまい記憶アドレス記憶メモリ１８をアドレス指定した位置にビット１を記憶する。図１では通常ノード装置１４のパケット通過用あいまい記憶アドレス記憶メモリ１８にそのブロードキャストパケットの送信元MACアドレスの下位アドレスb2が記憶されていることを示している。前記ブロードキャストパケットは左回りリング１により（５）MBb3b2(I2)で図示されるように転送されて最上位リング網の頂点ノード装置１１に到着する。
【手続補正２５】
【補正対象書類名】明細書
【補正対象項目名】００３０
【補正方法】変更
【補正の内容】
【００３０】
頂点ノード装置１１に到着した前記ブロードキャストパケットは、左回りリングから右回りリングに折り返すパス２８により、折り返されて、右回りリング２により、（６）MBb3b2(I2)で図示されるように転送されて通常ノード装置１４に到着する。通常ノード装置１４は、そのブロードキャストパケットをコピーして、片一方のパケットは下流ノード装置１３に送出し、もう、片方のパケットは、通常ノード装置１４と下位リング網の頂点ノード装置７を接続する伝送路に送出されて、（７）MBb3b2(I2)で図示されるように、頂点ノード装置７に転送する。頂点ノード装置７に転送されたブロードキャストパケットは右回りリング２により（８）MBb3b2(I2)で図示されるように転送されて通常ノード装置１０に到着する。
【手続補正２６】
【補正対象書類名】明細書
【補正対象項目名】００３１
【補正方法】変更
【補正の内容】
【００３１】
通常ノード装置１０は、到着した前記ブロードキャストパケットの送信元MACアドレスb3b2がパケットドロップ用MACアドレステーブル１７に無いことを確認して、そのブロードキャストパケットをコピーして、片一方のパケットは下流ノード装置９に送出し、もう、片方のパケットはL２スイッチ２２に送出する。L2スイッチ２２はそのブロードキャストパケットをブロードキャストする。下流の通常ノード装置９に到着したブロードキャストパケットの動作は、通常ノード装置１０の場合と同じなので説明を省略する。
【手続補正２７】
【補正対象書類名】明細書
【補正対象項目名】００３２
【補正方法】変更
【補正の内容】
【００３２】
前記通常ノード装置１４から転送されたブロードキャストパケットが通常ノード装置１３に到着した場合に、通常ノード装置１３は、そのブロードキャストパケットをコピーして、片一方のパケットは下流ノード装置に送出し、もう、片方のパケットは、通常ノード装置１３と下位リング網の頂点ノード装置３を接続する伝送路に送出して、（１１）MBb3b2(I2)で図示されるように、頂点ノード装置３に転送する。頂点ノード装置３に転送されたブロードキャストパケットは右回りリング２により（１２）MBb3b2(I2)で図示されるように転送されて通常ノード装置６に到着する。
【手続補正２８】
【補正対象書類名】明細書
【補正対象項目名】００３３
【補正方法】変更
【補正の内容】
【００３３】
通常ノード装置６は、到着した前記ブロードキャストパケットの送信元MACアドレスb3b2がパケットドロップ用MACアドレステーブル１７に有るので、そのまま、そのブロードキャストパケットをコピーせずに、（１３）MBb3b2(I2)で図示されるように下流ノード装置５に転送する。
【手続補正２９】
【補正対象書類名】明細書
【補正対象項目名】００３４
【補正方法】変更
【補正の内容】
【００３４】
通常ノード装置５は、到着した前記ブロードキャストパケットの送信元MACアドレスb3b2がパケットドロップ用MACアドレステーブル１７に無いことを確認して、そのブロードキャストパケットをコピーして、片一方のパケットは下流ノード装置に送出し、もう、片方のパケットはL２スイッチ１９に送出する。L2スイッチ１９はそのブロードキャストパケットをブロードキャストする。
【手続補正３０】
【補正対象書類名】明細書
【補正対象項目名】００３６
【補正方法】変更
【補正の内容】
【００３６】
L2スイッチ１９は、サーバ２４からのパケット（１５）Mb3b2b1b2（MはMACパケットを示し、b3b2は端末２６のMACアドレスである宛先上位MACアドレスb3と下位MACアドレスb2を示し、b1b2はサーバ２４のMACアドレスである送信元上位MACアドレスb1と下位MACアドレスb2である）を、通常ノード装置５に送出する。通常ノード装置５はそのパケットの送信元MACアドレスの下位アドレスb2でパケットドロップ用あいまい記憶アドレス記憶メモリ１５をアドレス指定した位置にビット１を記憶する。図１では通常ノード装置５のパケットドロップ用あいまい記憶アドレス記憶メモリ１５にそのパケットの送信元MACアドレスの下位アドレスb2が記憶されていることを示している。そのパケットは左回りリング１により転送されて、通常ノード装置６に到着する。
【手続補正３１】
【補正対象書類名】明細書
【補正対象項目名】００３７
【補正方法】変更
【補正の内容】
【００３７】
通常ノード装置６は、到着した前記パケットの送信元MACアドレスの下位アドレスb2でパケットドロップ用あいまい記憶アドレスメモリ１５をアドレス指定した位置にビット１が記憶されていることを確認後、パケット通過用MACアドレステーブル１６にそのパケットの送信元MACアドレスb1b2を記憶する。そのパケットは左回りリング１により、（１６）Mb3b2b1b2で図示されるように転送されて、頂点ノード装置３に到着する。頂点ノード装置３は、そのパケットを左回りリング１から抜き出して、頂点ノード装置３と通常ノード装置１３を接続する伝送路に送出して、通常ノード装置１３に（１７）Mb3b2b1b2で図示されるように転送する。
【手続補正３２】
【補正対象書類名】明細書
【補正対象項目名】００３８
【補正方法】変更
【補正の内容】
【００３８】
上位リング網の通常ノード装置１３は、到着した前記パケットの送信元MACアドレスの下位アドレスb2でパケットドロップ用あいまい記憶アドレス記憶メモリ１５をアドレス指定した位置にビット１を記憶する。図１では通常ノード装置１３のパケットドロップ用あいまい記憶アドレス記憶メモリ１５にそのパケットの送信元MACアドレスの下位アドレスb2が記憶されていることを示している。前記パケットは左回りリング１により転送されて通常ノード装置１４に到着する。通常ノード装置１４は、到着した前記パケットの送信元MACアドレスの下位アドレスb2でパケット通過用あいまい記憶アドレス記憶メモリ１８をアドレス指定した位置にビット１を記憶する。図１では通常ノード装置１４のパケット通過用あいまい記憶アドレス記憶メモリ１８にそのパケットの送信元MACアドレスの下位アドレスb2が記憶されていることを示している。前記パケットは左回りリング１により（１８）Mb3b2b1b2で図示されるように転送されて最上位リング網の頂点ノード装置１１に到着する。
【手続補正３３】
【補正対象書類名】明細書
【補正対象項目名】００３９
【補正方法】変更
【補正の内容】
【００３９】
頂点ノード装置１１に到着した前記パケットは、左回りリングから右回りリングに折り返すパス２８により、折り返されて、右回りリング２により、（１９）Mb3b2b1b2で図示されるように転送されて通常ノード装置１４に到着する。通常ノード装置１４は、そのパケットの宛先MACアドレスの下位アドレスでパケット通過用あいまい記憶アドレス記憶メモリ１８をアドレス指定した位置にビット１が記憶されていることを確認後、そのパケットを下流ノード装置１３に送出する。
【手続補正３４】
【補正対象書類名】明細書
【補正対象項目名】００４０
【補正方法】変更
【補正の内容】
【００４０】
通常ノード装置１３は、前記到着したパケットの宛先MACアドレスの下位アドレスb2でパケットドロップ用あいまい記憶アドレス記憶メモリ１５をアドレス指定した位置にビット１が記憶されていることを確認後、そのパケットを通常ノード装置１３と下位リング網の頂点ノード装置３を接続する伝送路に送出して、（２０）Mb3b2b1b2で図示されるように、頂点ノード装置３に転送する。頂点ノード装置３に転送されたそのパケットは右回りリング２により（２１）Mb3b2b1b2で図示されるように転送されて通常ノード装置６に到着する。
【手続補正３５】
【補正対象書類名】明細書
【補正対象項目名】００４１
【補正方法】変更
【補正の内容】
【００４１】
通常ノード装置６は、到着した前記パケットの宛先MACアドレスb3b2がパケット通過用MACアドレステーブル１６に無く、宛先MACアドレスの下位アドレスb2でパケットドロップ用あいまい記憶アドレスメモリ１５をアドレス指定した位置にビット１が記憶されていることを確認後、そのパケットをL2スイッチ２０経由で端末２６に送出する。  
【手続補正３６】
【補正対象書類名】明細書
【補正対象項目名】００４２
【補正方法】変更
【補正の内容】
【００４２】
なお、終点ノード装置はループバックビットがセットされているパケットのみを通過させ、それ以外のパケットは廃棄する構成にする。
【手続補正３７】
【補正対象書類名】明細書
【補正対象項目名】００４５
【補正方法】変更
【補正の内容】
【００４５】
また、第１実施例は、障害リング伝送路の両端ノード装置でループバックした場合に、ループバックビットのセット解除状態のパケットがループバックした場合には、ループバックビットをセットし、ループバックビットがセットされているパケットがループバックした場合は、ループバックビットのセット状態を解除し、ループバックビットがセットされているパケットは、終点ノード装置および頂点ノード装置を含む全てのノード装置をスルーで通過させる構成にしてもよい。
【手続補正３８】
【補正対象書類名】明細書
【補正対象項目名】００４６
【補正方法】変更
【補正の内容】
【００４６】
１  左回りリング（アウターリング）
２  右回りリング（インナーリング）
３、７  頂点ノード装置
４、８、１２  終点ノード装置
５、６，９，１０，１３，１４  通常ノード装置
１１  最上位リングの頂点ノード装置
１５  パケットドロップ用あいまい記憶アドレス記憶メモリ
１６  パケット通過用MACアドレステーブル
１７  パケットドロップ用MACアドレステーブル
１８  パケット通過用あいまい記憶アドレス記憶メモリ
１９、２０、２１，２２  L2スイッチ
２３，２５，２６，２７  端末、
２４  サーバ
２８  左回りリングから右回りリングへの折り返しパス
（１）〜（２２）  パケット